(57)【要約】      （修正有）【課題】足部が靴内で滑る事を防止する部材を提供し、結果として足部の変形を防止する部材を提供する。【解決手段】靴Ｓは、上面と、靴底と、中底と、ティアドロップ型を有するパッド１,２を含む。パッド１,２は、靴底と中底の間に設けられ、足が前方に滑る事を防止するよう設けられる。前記パッド１,２は、第１幅と第１高さを有する第１長手端部と、第２幅と第２高さを有する第２長手端部を含む。前記第２長手端部は、前記第１長手端部の逆側に設けられている。更に、前記第１長手端部は、前記第２長手端部よりも前記靴の内側側面に近い。前記パッドは、前記第１長手端部と前記第２長手端部を接続する中間部を含む。また、前記第１幅は前記第２幅よりも大きく、かつ前記第１高さは前記第２高さよりも大きく設けられている。【選択図】図４
2020065903.tif 000002
【特許請求の範囲】
【請求項１】
靴の内部において足部が滑る事を防止するパッドであって、
第１幅と第１高さを有する第１長手端部と、
第２幅と第２高さを有し、前記第１長手端部と逆側に設けられる第２長手端部と、
前記第１長手端部と前記第２長手端部を接続する中間部と、を有し、
前記第１幅は、前記第２幅よりも大きく、
前記第１高さは、前記第２高さよりも大きく、
前記パッドはティアドロップ型に設けられている、
ことを特徴とする前記パッド。
【請求項２】
請求項１に記載の前記パッドであって、
前記パッドは、ポリウレタン、ラテックスフォーム、ポロン多孔質ウレタンフォーム、プラスタゾーテフォーム、エチレンビニルアセタートのいずれかで形成されている、ことを特徴とする前記パッド。
【請求項３】
請求項１、２のいずれかに記載の前記パッドであって、
前記パッドは、５から６ｃｍの長さを有する、ことを特徴とする前記パッド。
【請求項４】
足部のつま先よりも踵の方が高くなるよう設けられ、内側側面と外側側面を有する靴であって、
上面部と、
靴底と、
前記上面部と前記靴底部の間に設けられ、前記靴底部に当接する中底と、
ティアドロップ型を有するパッドであって、前記足部が前方に向って滑るのを防止し、前記靴底と中底部の間に設けられた前記パッドと、を含み
前記パッドは、
第１幅と第１高さを有する第１長手端部と、
第２幅と第２高さを有し、前記第１長手端部と逆側に設けられる第２長手端部であって、前記第１長手端部から前記内側側面の距離は前記第２長手端部から前記内側の距離よりも短く設けられた前記第２長手端部と、
前記第１長手端部と前記第２長手端部を接続する中間部と、を有し、
前記第１幅は、前記第２幅よりも大きく、
前記第１高さは、前記第２高さよりも大きい、
ことを特徴とする前記靴。
【請求項５】
請求項４に記載の前記靴であって、
前記パッドは、ポリウレタン、ラテックスフォーム、ポロン多孔質ウレタンフォーム、プラスタゾーテフォーム、エチレンビニルアセタートのいずれかで形成されている、ことを特徴とする前記靴。
【請求項６】
請求項４,５のいずれかに記載の前記靴であって、
前記パッドは、５から６ｃｍの長さを有する、ことを特徴とする前記靴。
【請求項７】
請求項４〜６のいずれかに記載の前記靴であって、
前記靴の長さは、前記靴の前端から後端まで長手方向に測られ、
前記第１長手端部から前記靴の前端までの前記長さ方向に測られた第１距離は、前記長さの１０から２０％の範囲にある、
ことを特徴とする靴。
【請求項８】
請求項７に記載の前記靴であって、
前記第１距離は、前記長さの１２．５％にあたる、
ことを特徴とする前記靴。
【請求項９】
請求項４〜８のいずれかに記載の前記靴であって、
前記靴幅は、前記長手方向に直行する幅方向に計られ、
前記第１長手端部から前記靴の幅方向の内端部まで前記幅方向に計られた第２距離は、前記幅の０から２０％の範囲にある、
ことを特徴とする前記靴。
【請求項１０】
請求項４〜９のいずれかに記載の前記靴であって、
前記第２長手端部から前記靴の幅方向の外端部まで前記幅方向に測られた第３距離は、前記幅の０から２０％の範囲にある、
ことを特徴とする前記靴。
【請求項１１】
請求項４〜１０のいずれかに記載の前記靴であって、
前記パッドの長さは、前記第１長手端部から前記第２長手端部の方向に測られ、
前記パッドの前記長さの前記方向は、前記幅方向に対して４０から４５度の範囲にある、ことを特徴とする前記靴。
【請求項１２】
請求項４〜１１のいずれかに記載の前記靴であって、
前記パッドは第１長手側部と前記第１長手側部と逆側に設けられた第２長手側部を有し、
前記第１長手側部は、少なくとも部分的に第１半径をもって曲げられて設けられ、
前記第２長手側部は、少なくとも部分的に第２半径をもって曲げられて設けられ、
前記第１半径は、前記第２半径よりも大きい、
ことを特徴とする前記靴。
【請求項１３】
請求項４〜１２のいずれかに記載の前記靴は、
前記足部のアーチを支持するために前記内側側面の中央に設けられたアーチリフトを更に備え、
前記中底は前記足部の前記踵を保持するために前記靴の後端に孔部を含む、
ことを特徴とする前記靴。
【発明の詳細な説明】
【技術分野】
【０００１】
本発明は、靴内部において足部が前方にすべる事を主要因とする足部の変形を防止するパッド及びパットを用いた靴に関する。
【背景技術】
【０００２】
従来より、高いヒールを有する事により、靴の後端部が前端部よりも高く位置するような構造を持つ靴が提供されている。この構造は、特に女性用靴に限らず、男性用靴にも用いられている。結果として、この靴を装着しているユーザの足部は、靴内部で前方に向って滑る傾向にある。この事により、足部は変形し、特に４番（薬指）、５番（小指）の指に痛みを伴う事になる。この種の変形は、 ハンマー状趾（ハンマートウ）と呼ばれ、女性の足に良く見られる。その理由として、女性の方が男性よりも、ビジネスやフォーマルな機会において、高いヒールの靴を履く傾向にある事が挙げられる。これ以外にも、外反母趾、鉤爪趾（クロートウ）、小槌趾（マレットトウ）等の足部変形がある。
【０００３】
これまでに、ハンマー状趾、外反母趾、鉤爪趾、小槌趾等の足部変形を防止する目的で様々な靴が考案されている。しかし、医師によって過去に考案されたパッドは、外観が悪く、特に高いヒールを有したデザイン性の高い靴には利用しづらい。また、カバーが無いと、摩擦により長期に利用出来ないという問題を抱えていた。
【０００４】
医師により処方される足用装具では、デザイン性の高い靴の狭い内部エリアにフィットしづらい。また、サンダルなどの開口している靴には、特にフィットしづらいといえる。ハイヒールやパンプスを履くとき、足部のつま先は押圧される。更に、側部からの圧力により、つま先は拘縮されてしまう。
【０００５】
上記の問題を解決する為に、特許文献１は、滑り防止用のＴ型パッドを有する靴を開示している。このＴ型リブは、靴の内部前方に設けられており、靴の幅方向全体に及ぶよう延在している。特許文献２は、滑り防止用のダムを靴の内部前方に有し、靴の幅方向全体に及ぶよう延在している。
【先行技術文献】
【特許文献】
【０００６】
【特許文献１】中国実用新案公開Ｎｏ．２０３６６２１１７Ｕ
【特許文献２】中国実用新案公開Ｎｏ．２０４０９１１３１Ｕ
【発明の概要】
【発明が解決しようとする課題】
【０００７】
しかしながら、上述の滑り防止用リブと滑り防止用ダムは、指の付け根部分にできる溝部（サルカス）にフィットするようにデザインされておらず、使用者は苦痛に感じる。
【０００８】
本願は、このような問題に鑑みてなされたものであり、本願の目的は、足部が靴内で滑る事を防止する部材を提供する事にあり、また結果として足部の変形を防止する事にある。更に当該部材を含む靴を提供する事を含む。
【課題を解決するための手段】
【０００９】
上記課題を解決する為に、本発明の第１の特徴において、足部が靴内で滑る事を防止するインソール長を持つインソールを有する靴のサイズに相当するパッドが、第１長手端部、第２長手端部、中間部を含んでいる。当該第１長手端部は、第１幅と第１高さを有する
。当該第２長手端部は、第２幅と第２高さを有し、当該第１長手端部の逆側に設けられている。中間部は、当該第１長手端部と当該第２長手短部を接続する。当該第１幅は、当該第２幅よりも大きい。当該第１高さは、当該第２高さよりも大きい。
【００１０】
上記課題を解決する為に、本発明の第２の特徴において、足部のかかと部が当該足部のつま先部よりも高く位置する靴が外側側面と内側側面を有し、当該靴が上面部、靴底部、当該上面部と当該靴底部の間に設けられ当該靴底部に当節する中底部とを備え、ティアドロップ形のパッドを有している。当該パッドは、当該靴底部と当該中底部の間に設けられ、当該足部が靴内で滑る事を防止する。当該パッドは、第１長手端部、第２長手端部を含んでいる。当該第１長手端部は、第１幅と第１高さを有する。当該第２長手端部は、第２幅と第２高さを有し、当該第１長手端部の逆側に設けられている。当該第１長手端部から当該内側側面の距離は、当該第２長手端部から当該内側側面の距離よりも小さい。当該パッドは中間部を含み、当該パッドは当該第１長手端部と当該第２長手短部を接続する。当該第１幅は、当該第２幅よりも大きい。当該第１高さは、当該第２高さよりも大きい。
【図面の簡単な説明】
【００１１】
【図１】図１は、高いヒールを有する一般的な靴の外観図である。
【図２Ａ】図２Ａは、高いヒールを有した靴を履いたことに起因する変形した足部の平面図である。
【図２Ｂ】図２Ｂは通常の足部の平面図である。
【図２Ｃ】図２Ｃは足部を底部からみた平面図である。
【図３Ａ】図３Ａは、クレストパッドの一例を示す平面図である。
【図３Ｂ】図３Ｂは当該クレストパッドの別の一例を示す平面図である。
【図４】図４は、当該クレストパッド、アーチリフト、当該足部のかかとの位置に設けられた孔部を有する当該靴の内部の平面図である。
【図５】図５は、当該クレストパッド、当該アーチリフト、当該孔部を有する当該靴の外観図である。
【図６】図６は、図４のａ−ａ’断面の断面図である。
【発明を実施するための形態】
【００１２】
下記に記載される本発明の実施形態は、例として説明されるが、本発明を限定するものではない。図に開示される実施の形態は、本開示に基づいて当業者により変更が可能である。
【００１３】
本開示によるクレストパッドの実施例を、図を用いて下記に説明する。クレストパッドのサイズは、靴のサイズによって異なる。もし靴のサイズが比較的大きければ、クレストパッドも相応して比較的大きい物となる。下記に記載する実施例では、靴に対応するサイズのクレストパッドであるとして説明する。
【００１４】
なお、本実施形態では、右足用の靴及びクレストパッドを例にとり説明するが、本発明は、左足用の靴及びクレストパッドに対しても同様に適用可能である。
【００１５】
図１は、高いヒールＨを有する靴Ｓの外観図である。
【００１６】
本実施形態の靴Ｓは、足部のつま先よりも踵の方が高くなるよう設けられ、内側側面と外側側面を有する靴として形成されている。
【００１７】
また、前記靴Ｓは、上面部と、靴底と、前記上面部と前記靴底部の間に設けられ、前記靴底部に当接する中底と、を含む。
【００１８】
そして、前記靴底と中底部の間には、後述するティアドロップ型を有するパッドであって、前記足部が前方に向って滑るのを防止するパッドが設けられている。
【００１９】
以下、その詳細を説明する。
【００２０】
前記靴Ｓは使用者のつま先が収まる前部Ｆと使用者のかかとが納まる後部Ｒを有する。便宜上、また理解を深める目的で、図１にある矢印は、各々長さ方向、幅方向、高さ方向を定義している。
【００２１】
図２Ａは、高いヒールを有し足部にフィットしない靴を履いた結果変形してしまった右足部の平面図である。図２Ｂは、通常の右足部の平面図である。ハンマー状趾と外反母趾を含む変形は、足部の配置によって起こり得る。即ち、靴内において前方に滑る事により変形が生じる。図２Ｃは図２Ａの逆面であり、右足部の底を表している。サルカスＳＣは、指の付け根部にある溝または空間である。
【００２２】
足部にフィットしない靴Ｓの前部Ｆに向って滑る時、足の第１中足骨が曲げられる。これにより、つま先の基部にある関節は突出してしまう。突出部Ｐは靴の内面に接触し、痛みを伴う。これは、高いヒールＨを有する靴Ｓを履く女性によくある事である。特に、靴ＳのヒールＨが高く、かつ使用者が長期にわたって靴Ｓを使用している場合、痛みを感じる。
【００２３】
図２Ａは、外反母趾になっている変形足部の典型的な例を示している。変形した足部は、特に親指の付け根部が小指側に向って曲げられた形状をしている。変形した足部の突出部Ｐは、図２Ｂに示された通常の足部と比べて突出が顕著である。
【００２４】
図３Ａに示されるクレストパッド１は、靴Ｓ内において足部が前方に滑る事で生じる痛みを和らげる、または防止する為に提供される。クレストパッドはティアドロップ型に設けられているので、足部のサルカスＳＣにフィットする。足部のサルカスＳＣとは、足の指の基部周辺にできる空間であり、従って平坦な面とは接触しない。クレストパッド1は、大きい幅を有する長手端部1１と、小さい幅を有する長手端部1２と、前記第１長手端部11と前記第２長手端部12を接続する中間部とを含む。クレストパッド1の長さＬ1は、長手端部1１から長手端部1２を直線で繋いだ距離の事である。前記長さＬ1は、５から６ｃｍ程度とすることが好ましいが、使用者の足のサイズに応じて、その長さは適宜設定すればよい。
【００２５】
クレストパッド１は、靴Ｓに内蔵される。即ち中底（インソール）ＩＳと下に設けられていても良いが、独立した部品として靴Ｓの中底ＩＳの上に使用者が貼り付けるように設けられていても良い。
【００２６】
図３Ｂに示されるクレストパッド２は、別の実施例である。クレストパッド２もティアドロップ型ではあるが、一方に曲がっている。換言すると、クレストパッド２の一方の側面の少なくとも一部は第１曲率半径で曲がっており、クレストパッド２の他方の側面の少なくとも一部は第１曲率半径よりも小さい第２曲率半径で曲がっている。クレストパッド２は、大きい幅を有する長手端部２１と小さい幅を有する長手端部２２を含む。クレストパッド２の長さＬ２は、長手端部２１から長手端部２２を直線で繋いだ距離の事である。
【００２７】
クレストパッド２は、靴Ｓに内蔵される。即ち中底（インソール）ＩＳと下に設けられていても良いが、独立した部品として靴Ｓの中底ＩＳの上に使用者が貼り付けるように設けられていても良い。
【００２８】
図４は、クレストパッド２、アーチリフト３、孔部４を有する靴の内部の平面図である。アーチリフト３も、足部のアーチを支持する為に靴Ｓの内部に設けられている。アーチリフト３と孔部４は、どちらも靴Ｓの内部で足部が前方に滑るのを防止することに貢献している。
【００２９】
本実施形態のクレストパッド１、２は、樹脂で形成されており、その材料としては、例えばポリウレタン、エチレンビニルアセタート（ＥＶＡ）、ラテックスフォーム、ポロン多孔質ウレタンフォーム、プラスタゾーテフォームの何れかが用いられている。
【００３０】
靴Ｓの前端部から後端部までの距離が最大となり、長さＬと定義される。靴Ｓは、甲周辺において幅Ｗが最大であり、幅Ｗは長さＬに対して直交するようにとられる。
【００３１】
クレストパッド１、２は、靴Ｓに内蔵されている場合、前部Ｆの周辺に、靴Ｓの前端部から距離Ｌ３だけ離れて位置する。
【００３２】
前記クレストパッド１、２の第１長手端部１１、２１から前記靴Ｓの前端（前部Ｆ）までの前記長さ方向に測られた距離Ｌ３である第１距離は、靴Ｓの前端部から後端部までの長さＬの１０から２０％の範囲に設定することが好ましく、本実施例では、１２．５％に設定されている。
【００３３】
また、前記クレストパッド１、２の第１長手端部１１、２１から、前記靴Ｓの幅方向の内端部（図4の靴Ｓの左側（または内側））まで前記幅方向に計られた距離Ｗ１である第２距離は、前記靴幅Ｗの０から２０％の範囲に設定することが好ましい。
【００３４】
前記クレストパッド１、２の第２長手端部１２、２２から、前記靴Ｓの幅方向の外端部（図4の靴Ｓの右側（または外側））まで前記幅方向に計られた距離Ｗ２である第３距離も、前記靴幅Ｗの０から２０％の範囲に設定することが好ましい。
【００３５】
そして、前記クレストパッド１、２の第１長手端部１１、２１から第２長手端部１２、２２へ向けた長さ方向の、前記靴Ｓの幅方向に対する角度θは、４０から４５度の範囲に設定することが好ましい。
【００３６】
図５は、クレストパッド１、２、アーチリフト３、孔部４を含む靴の外観図である。アーチリフト３は、孔部４とクレストパッド１、２の間に設けられ、足部のアーチを支えるようにアーチ型に設けられている。孔部４は、足部の踵を保持するように孔状に設けられ、足部が前部Ｆに向って滑るのを防止、または少なくとも抑制する。
【００３７】
図６は、図４のａ−ａ’断面における断面図である。クレストパッド１、２は、図６に示される靴Ｓの右側（または外側）に向って延在するに従い、高さを減じている。言い換えると、クレストパッド１、２は、親指側のサルカスにフィットする部位から小指側のサルカスにフィットする部位にかけて、高さを減じている。この形状は、サルカスにより好適にフィットする。
【符号の説明】
【００３８】
Ｈ  ヒール、Ｓ  靴、ＩＳ  中底、Ｆ  前部、Ｒ  後部、ＳＣ  サルカス、
Ｐ  突出部、            
１  クレストパッド、
２  クレストパッド、
３  アーチリフト、
４  孔部、
１１、２１  長手端部、
１２、２２  長手端部、
Ｌ１、Ｌ２  クレストパッド２の長さ。
【図１】
2020065903.tif 000003
【図２Ａ】
2020065903.tif 000004
【図２Ｂ】
2020065903.tif 000005
【図２Ｃ】
2020065903.tif 000006
【図３Ａ】
2020065903.tif 000007
【図３Ｂ】
2020065903.tif 000008
【図４】
2020065903.tif 000009
【図５】
2020065903.tif 000010
【図６】
2020065903.tif 000011